(57)【特許請求の範囲】
【請求項１】
少なくとも１つの第１のベース面（３、２３、８３）において気密形式で閉鎖される円筒形内部空間（２、２２、８２）と、
円筒形軸に沿って移動できるように前記円筒形内部空間（２、２２、８２）に配置され、前記内部空間（２、２２、８２）を封止する少なくとも１つのプランジャと、
前記プランジャに接続され、第２のベース面（４、２４、８４）を超えて前記内部空間（２、２２、８２）から突出するプランジャロッド（５、２５、８５）と、
圧縮ガスを前記内部空間（２、２２、８２）に供給するための第１の開口部（１１、３１、６１、９１）と、
前記内部空間（２、２２、８２）の内側からガスを放出するための第２の開口部（１２、３２、６２、９２）と、
を備える、洗浄システムを作動するための圧縮ガスモータ（１、２１、５１、８１）であって、
前記開口部（１１、１２、３１、３２、６１、６２、９１、９２）は、前記円筒形内部空間（２、２２、８２）の円筒形ジャケットに配置され、
前記第１の開口部（１１、３１、６１、９１）は、前記第２の開口部（１２、３２、６２、９２）と閉鎖された前記第１のベース面（３、２３、８３）との間に配置され、
前記プランジャは、互いに接続される第１のプランジャ部（６、２６、８６）および第２のプランジャ部（７、２７、８７）を備え、
前記第１のプランジャ部（６、２６、８６）は、前記第１のプランジャ部（６、２６、８６）と前記内部空間（２、２２、８２）の円筒形内壁との間に少なくとも１つの通路（９、２９、８９）を備え、および／または少なくとも１つの通路を形成し、
前記第２のプランジャ部（７、２７、８７）は、封止するように前記内部空間（２、２２、８２）の内側を閉鎖し、
前記第１のプランジャ部（６、２６、８６）の少なくとも１つの通路（９、２９、８９）は、前記第１のプランジャ部と前記第２のプランジャ部（７、２７、８７）との間の中間空間（１５、３５、９５）を、閉鎖された前記第１のベース面（３、２３、８３）と前記第１のプランジャ部（６、２６、８６）との間の内部空間領域（１６、３６、９６）に接続し、
前記第１の開口部（１１、３１、６１、９１）は、前記第１のプランジャ部（６、２６、８６）により閉鎖されることができ、前記第２の開口部（１２、３２、６２、９２）は、前記第２のプランジャ部（７、２７、８７）により閉鎖されることができ、
前記圧縮ガスモータ（１、２１、５１、８１）は、前記第２のプランジャ部（７、２７、８７）が前記第２の開口部（１２、３２、６２、９２）を完全に閉鎖していない場合、少なくとも一部の時間の間、前記円筒形内部空間（２、２２、８２）の前記第１のベース面（３、２３、８３）の方向において前記プランジャに力を与える復元具（１０、９０）を備えることを特徴とする、圧縮ガスモータ（１、２１、５１、８１）。
【請求項２】
前記内部空間（２、２２、８２）の壁は、前記内部空間（２、２２、８２）の前記第１のベース面（３、２３、８３）の端部の領域から前記第２の開口部（１２、３２、６２、９２）の高さの領域まで延び、前記第１のプランジャ部（６、２６、８６）と前記内部空間（２、２２、８２）の円筒形壁との間に少なくとも１つの通路を形成する溝を備え、前記溝は、前記開口部（１１、１２、３１、３２、６１、６２、９１、９２）と接続されないことを特徴とする、請求項１に記載の圧縮ガスモータ（１、２１、５１、８１）。
【請求項３】
前記溝は、前記円筒形内部空間（２、２２、８２）の前記第１のベース面（３、２３、８３）の端部まで延び、前記第１のプランジャ部（６、２６、８６）は好ましくは、円筒体であり、特に好ましくは、さらなる通路（９、２９、８９）を備えないことを特徴とする、請求項２に記載の圧縮ガスモータ（１、２１、５１、８１）。
【請求項４】
前記第１のプランジャ部（６、２６、８６）および前記第２のプランジャ部（７、２７、８７）は、剛性連結部（８、２８、２８’、８８）により、好ましくはロッド（８、２８、２８’）により、特に好ましくは前記プランジャロッド（５、２５、８５）の延長部により、特に円筒形軸に沿って互いに接続されることを特徴とする、請求項１〜３のいずれか一項に記載の圧縮ガスモータ（１、２１、５１、８１）。
【請求項５】
前記円筒形内部空間（２、２２、８２）の前記第２のベース面（４、２４、８４）が開口することを特徴とする、請求項１〜４のいずれか一項に記載の圧縮ガスモータ（１、２１、５１、８１）。
【請求項６】
前記プランジャロッド（５、２５、８５）のためのブラケットが、前記円筒形内部空間（２、２２、８２）の前記第２のベース面（４、２４、８４）に配置され、前記内部空間（２、２２、８２）の前記円筒形軸の領域において好ましくはベアリングの中心におけるように前記プランジャロッド（５、２５、８５）を支持することを特徴とする、請求項１〜５のいずれか一項に記載の圧縮ガスモータ（１、２１、５１、８１）。
【請求項７】
前記少なくとも１つの通路（９、２９、８９）が、前記第１のプランジャ部（６、２６、８６）において特定のガス透過可能な孔（９、２９）、特にこの種の孔（９、２９）を備えることを特徴とする、請求項１〜６のいずれか一項に記載の圧縮ガスモータ（１、２１、５１、８１）。
【請求項８】
前記第１のプランジャ部（６、２６、８６）と前記第２のプランジャ部（７、２７、８７）との間の距離が、１ｍｍより長く、好ましくは１ｍｍから１００ｍｍの間であり、特に好ましくは５ｍｍから１０ｍｍの間であることを特徴とする、請求項１〜７のいずれか一項に記載の圧縮ガスモータ（１、２１、５１、８１）。
【請求項９】
閉鎖された前記第１のベース面（３、２３、８３）から前記第１の開口部（１１、３１、６１、９１）までの距離が、前記内部空間（２、２２、８２）の前記円筒形軸の方向における少なくとも前記第１のプランジャ部（６、２６、８６）の高さに等しいことを特徴とする、請求項１〜８のいずれか一項に記載の圧縮ガスモータ（１、２１、５１、８１）。
【請求項１０】
前記第１のプランジャ部（６、２６、８６）および／または前記第２のプランジャ部（７、２７、８７）が円筒形であり、少なくともその領域において、前記円筒形内部空間（２、２２、８２）の内壁に密接することを特徴とする、請求項１〜９のいずれか一項に記載の圧縮ガスモータ（１、２１、５１、８１）。
【請求項１１】
リザーバが、前記第１の開口部（１１、３１、６１、９１）に接続され、圧縮ガスを含み、および／または前記第２の開口部（１２、３２、６２、９２）が、好ましくはガスの流れを妨げる管（６４）を有さずにガス透過可能形式で前記圧縮ガスモータ（１、２１、５１、８１）の周囲に接続されることを特徴とする、請求項１〜１０のいずれか一項に記載の圧縮ガスモータ（１、２１、５１、８１）。
【請求項１２】
洗浄連結具を連結するための連結手段（７１、７２）、特にバヨネットキャッチ（７２）が、前記第２のベース面（４、２４、８４）の領域の外側に配置されることを特徴とする、請求項１〜１１のいずれか一項に記載の圧縮ガスモータ（１、２１、５１、８１）。
【請求項１３】
前記第２のベース面（４、２４、８４）から突出する前記プランジャロッド（５、２５、８５）の端部が、乳棒（１４、３４、７０）、特にマッシュルーム形状の乳棒（１４、３４、７０）を備えることを特徴とする、請求項１〜１２のいずれか一項に記載の圧縮ガスモータ（１、２１、５１、８１）。
【請求項１４】
前記プランジャ部（６、７、２６、２７、３８、８６、８７）、前記プランジャ部（６、７、２６、２７、３８、８６、８７）の連結部（８、２８、２８’、８８）、前記プランジャロッド（５、２５、８５）、前記円筒形内部空間（２、２２、８２）の壁、前記ベース面（３、４、２３、２４、８３、８４）の端部、ブラケット、復元具（１０、９０）、連結手段（７１、７２）および／または乳棒（１４、３４、７０）が、プラスチック材料から作製され、特に射出成形コンポーネントであることを特徴とする、請求項１〜１３のいずれか一項に記載の圧縮ガスモータ（１、２１、５１、８１）。
【請求項１５】
前記内部空間（２、２２、８２）が円筒形管の内側であり、前記圧縮ガスモータ（１、２１、５１、８１）が、少なくともその領域において、好ましくは本質的に、円筒形外部面を備えることを特徴とする、請求項１〜１４のいずれか一項に記載の圧縮ガスモータ（１、２１、５１、８１）。
【請求項１６】
前記内部空間（２、２２、８２）における前記プランジャの振動運動の間、前記第１の開口部（１１、３１、６１、９１）および前記第２の開口部（１２、３２、６２、９２）はそれぞれ、前記第１のプランジャ部（６、２６、８６）および前記第２のプランジャ部（７、２７、８７）により交互に完全に閉鎖されることができることを特徴とする、請求項１〜１５のいずれか一項に記載の圧縮ガスモータ（１、２１、５１、８１）。
【請求項１７】
バネ、特にプラスチックバネ、鋼バネ（１０）および／またはガススプリング（９０）を含む復元具（１０、９０）が、前記第２のプランジャ部（７、２７、８７）と前記円筒形内部空間（２、２２、８２）の前記第２のベース面（４、２４、８４）との間に配置されることを特徴とする、請求項１〜１６のいずれか一項に記載の圧縮ガスモータ（１、２１、５１、８１）。
【請求項１８】
前記復元具が、第３のプランジャ部（３８）と、
前記内部空間（２２）の内側からガスを放出するための第３の開口部（３２’）と、
前記内部空間（２２）に圧縮ガスを供給するための第４の開口部（３１’）と、を備え、
前記第３および第４の開口部（３２’、３１’）は、前記円筒形内部空間（２２）の円筒形ジャケットに配置され、
前記第４の開口部（３１’）は、前記第２の開口部（３２）と前記円筒形内部空間（２２）の前記第２のベース面（２４）との間に配置され、
前記第３の開口部（３２’）は、前記第２の開口部（３２）と前記第４の開口部（３１’）との間に配置され、
前記第３の開口部（３２’）および前記第４の開口部（３１’）はそれぞれ、前記第２のプランジャ部（２７）および前記第３のプランジャ部（３８）により閉鎖されることができ、
前記第３のプランジャ部（３８）は、前記第２のプランジャ部（２７）と前記円筒形内部空間（２２）の前記第２のベース面（２４）との間の前記プランジャロッド（２５）に配置され、前記第２のプランジャ部（２７）に接続されるプランジャの一部であり、
前記第３のプランジャ部（３８）は、前記第３のプランジャ部（３８）と前記内部空間（２２）の円筒形壁との間に少なくとも１つの通路（３９）を備え、および／または少なくとも１つの通路を形成することを特徴とする、請求項１〜１６のいずれか一項に記載の圧縮ガスモータ（１、２１、５１、８１）。
【請求項１９】
前記第３のプランジャ部（３８）が、請求項１〜１８のいずれか一項に記載の前記第１のプランジャ部（２、２６、８６）のように構造化され、および／または前記内部空間（２、２２、８２）の内壁が、請求項２または３に記載の前記第１のプランジャ部（２、２６、８６）に対して構造化されるように前記第３のプランジャ部（３８）に対して構造化されることを特徴とする、請求項１８に記載の圧縮ガスモータ（１、２１、５１、８１）。
【請求項２０】
前記プランジャロッド（５、２５、８５）が、固定され、動かないように前記プランジャに接続され、好ましくは、前記プランジャロッド（５、２５、８５）が、特に前記円筒形軸の領域において、前記第２のプランジャ部（７、２７、８７）または第３のプランジャ部（３８）に接続されることを特徴とする、請求項１〜１９のいずれか一項に記載の圧縮ガスモータ（１、２１、５１、８１）。
【請求項２１】
請求項１〜２０のいずれか一項に記載の圧縮ガスモータ（１、２１、５１、８１）を備え、バルブ（６５）およびハンドル（５０）に配置される前記バルブ（６５）を制御するための作動具（６６）を備える、洗浄システムのためのハンドル（５０）であって、前記バルブ（６５）は、管（６３、６４）、特に前記第１の開口部（１１、３１、６１、９１）および／または第２の開口部（１２、３２、６２、９２）、好ましくは前記第１の開口部（１１、３１、６１、９１）、特に好ましくは前記第１の開口部（１１、３１、６１、９１）と第４の開口部（３１’）に接続される圧縮ガス管（６３）に配置される、ハンドル（５０）。
【請求項２２】
請求項１〜１６のいずれか一項に記載の圧縮ガスモータ（１、２１、５１、８１）を備える洗浄システムであって、好ましくは請求項１６に記載のハンドル（５０）を備え、さらに、リンス液リザーバおよび／またはリンス液リザーバのためのコネクタを備え、前記リンス液を含有する噴霧パフを生成するために、特に乳棒（１４、３４、７０）により前記第２のベース面（４、２４、８４）を超えて突出する前記プランジャロッド（５、２５、８５）の端部により、力の衝撃が、力伝達具、好ましくは膜に移されることができる、洗浄システム。
【請求項２３】
請求項１〜２０のいずれか一項に記載の圧縮ガスモータを作動する方法であって、
前記第１のプランジャ部と前記第２のプランジャ部との間の中間空間に前記第１の開口部を通して圧縮ガスを供給する工程と、
前記中間空間において正圧を増加させる工程と、
前記正圧に起因して前記圧縮ガスモータの内部空間において前記プランジャ部を移動させる工程と、
前記プランジャ部の移動により、前記第１の開口部を閉鎖し、前記第２の開口部を開口する工程と、
前記中間空間から前記第２の開口部を通して膨張したガスを放出する工程と、
復元具により前記内部空間において前記プランジャ部を復元する工程と、
を含む、方法。
【発明の詳細な説明】
【技術分野】
【０００１】
本発明は、気密形式で閉鎖される円筒形内部空間、少なくとも１つの第１のベース面、円筒形軸に沿って移動するように円筒形内部空間に配置され、内部空間を封止する少なくとも１つのプランジャ、プランジャに接続され、第２のベース面を超えて内部空間から突出するプランジャロッド、内部空間に圧縮ガスを供給するための第１の開口部、および内部空間の内側からガスを放出するための第２の開口部を備える、洗浄システムを作動するための圧縮ガスモータに関する。
【０００２】
本発明はまた、この種の圧縮ガスモータを有する洗浄システムのためのハンドルおよびこの種の圧縮ガスモータを有する洗浄システム、およびこの種の圧縮ガスモータを作動するための方法に関する。
【０００３】
したがって、本発明の主題は、洗浄システムの駆動手段として圧縮ガスの使用により振動直線運動を生成するための簡単な駆動装置である。さらに、駆動装置を有する洗浄システムのハンドルが本発明の主題である。駆動装置およびハンドルを有する洗浄システムもまた、本発明の主題である。
【背景技術】
【０００４】
洗浄システムは組織領域を洗浄するために外科手術において広範に使用される。具体的には、関節人工器官の移植の間、および敗血症修復の間、洗浄システムは重要である（非特許文献１、非特許文献２、非特許文献３、非特許文献４、非特許文献５）。組織領域は、等張食塩水などの適切なリンス液の噴霧パフ（噴霧気体の吹きかけ（ｓｐｒａｙ  ｐｕｆｆ））により洗浄の間に浄化される。１分あたり数千までの噴霧パフがこれに関して一般的である。
【０００５】
パルス洗浄システムは、昔から、例えば特許文献１、特許文献２および特許文献３から知られている。現在市場に出ている洗浄システムは、電気モータ（例えばＳｔｒｙｋｅｒ  ＧｍｂＨ＆Ｃｏ．ＫＧのＩｎｔｅｒＰｕｌｓｅ（登録商標）Ｊｅｔ  ｌａｖａｇｅ）または圧縮空気（例えばＨｅｒａｅｕｓ  Ｍｅｄｉｃａｌ  ＧｍｂＨのＰＡＬＡＶＡＧＡ（登録商標））により駆動される。
【０００６】
例えば、バッテリーで作動される洗浄システムが有用であると証明されている。しかしながら、その性質に起因して制限された電荷容量のみを有する大きなバッテリーブロックが常に一緒に必要とされる。圧縮空気により駆動される洗浄システムは、圧縮空気が制限されていない量で手術室において利用可能であるので、エネルギー供給が制限されずに、任意の所望の時間にリンス液を噴霧できるという点で比較的有益である。
【０００７】
圧縮空気または他の圧縮ガスにより駆動されるシステムは通常、ドライブとして圧縮ガスモータを利用する。洗浄システムのためのほとんどの圧縮ガスモータは、層状圧縮ガスモータである。圧縮ガスモータは、後で振動直線運動に変換される回転運動を生成する。振動直線運動は運動量を少量のリンス媒体に伝えるために利用される。これに関して、パルスをリンス液に伝えることができるように、ドライブとリンス液の入口との間に少なくとも１つの膜を配置することが一般的である。これにより、噴霧パフが生成される。１分当たり、２，０００〜３，０００パルスの速いパルス速度において、数千ミリリットルの範囲のリンス液の量が噴霧される。これは、圧縮ガスモータが、このような高回転速度を許容するために高精度で製造されることを必要とすることを意味する。さらに、十分に安定な再充電が利用可能でなければならない。これらの理由のために、圧縮ガスモータは、一般的な圧縮空気により駆動される洗浄システムの最も高価なコンポーネントである。したがって、圧縮ガスモータは一般に、金属または他の耐久性のある材料から作製されたハンドルに配置されるので、このコンポーネントは適切な再処理および滅菌後に複数回、使用され得る。
【０００８】
一般的な圧縮ガスモータは、特許文献４から公知であり、円筒形の中間空間内で直線運動で可動するプランジャに隣接して横方向に配置される空気圧で駆動されるピンチバルブを有する。この設計において、ピンチバルブはプランジャを駆動する駆動圧縮空気を制御する。プランジャは、そのプランジャの直線振動運動を引き起こすために交互にその２つの側に付与される圧縮空気を有する。これは、ピンチバルブの設計が比較的複雑になり、それらを組み立てるのを困難にするので不都合である。したがって、この種の設計は高価で実施され得ない。
【先行技術文献】
【特許文献】
【０００９】
【特許文献１】米国特許第４，５８３，５３１Ａ号
【特許文献２】米国特許第４，２７８，０７８Ａ号
【特許文献３】米国特許第５，５４２，９１８Ａ号
【特許文献４】欧州特許第０４８１２０８Ａ１号
【非特許文献】
【００１０】
【非特許文献１】Ｒ．Ｍ．Ｓｈｅｒｍａｎら、Ｔｈｅ  ｒｏｌｅ  ｏｆ  ｌａｖａｇｅ  ｉｎ  ｐｒｅｖｅｎｔｉｎｇ  ｈｅｍｏｄｙｎａｍｉｃ  ａｎｄ  ｂｌｏｏｄ−ｇａｓ  ｃｈａｎｇｅｓ  ｄｕｒｉｎｇ  ｃｅｍｅｎｔｅｄ  ａｒｔｈｒｏｐｌａｓｔｙ．Ｊ．Ｂｏｎｅ  Ｊｏｉｎｔ．Ｓｕｒｇ．１９８３、６５−Ａ、５００−５０６
【非特許文献２】Ｓ．Ｊ．Ｂｒｅｕｓｃｈら、Ｚｅｍｅｎｔｉｅｒｔｅ  Ｈｕｆｔｅｎｄｏｐｒｏｔｈｅｔｉｋ：Ｖｅｒｍｉｎｄｅｒｕｎｇ  ｄｅｓ  Ｆｅｔｔｅｍｂｏｌｉｅｒｉｓｉｋｏｓ  ｉｎ  ｄｅｒ  ｚｅｍｅｎｔｉｅｒｔｅｎ  Ｈｕｆｔｅｎｄｏｐｒｏｔｈｅｔｉｋ  ｍｉｔｔｅｌｓ  ｇｅｐｕｌｓｔｅｒ  Ｄｒｕｃｋｓｐｕｌｕｎｇ．Ｏｒｔｈｏｐａｄｉｅ  ２０００、２９：５７８−５８６
【非特許文献３】Ｓ．Ｊ．Ｂｒｅｕｓｃｈら、Ｌａｖａｇｅ  ｔｅｃｈｎｉｑｕｅ  ｉｎ  ＴＨＡ：Ｊｅｔ−ｌａｖａｇｅ  Ｐｒｏｄｕｃｅｓ  Ｂｅｔｔｅｒ  Ｃｅｍｅｎｔ  Ｐｅｎｅｔｒａｔｉｏｎ  Ｔｈａｎ  Ｓｙｒｉｎｇｅ−Ｌａｖａｇｅ  ｉｎ  ｔｈｅ  Ｐｒｏｘｉｍａｌ  Ｆｅｍｕｒ．Ｊ．Ａｒｔｈｒｏｐｌａｓｔｙ．２００、１５（７）：９２１−９２７
【非特許文献４】Ｒ．Ｊ．Ｂｙｒｉｃｋら、Ｈｉｇｈ−ｖｏｌｕｍｅ，ｈｉｇｈ  ｐｒｅｓｓｕｒｅ  ｐｕｌｓａｔｉｌｅ  ｌａｖａｇｅ  ｄｕｒｉｎｇ  ｃｅｍｅｎｔｅｄ  ａｒｔｈｒｏｐｌａｓｔｙ．Ｊ．Ｂｏｎｅ  Ｊｏｉｎｔ  Ｓｕｒｇ．１９８９、８１−Ａ：１３３１−１３３６
【非特許文献５】Ｊ．Ｃｈｒｉｓｔｉｅら、Ｍｅｄｕｌｌａｒｙ  ｌａｖａｇｅ  ｒｅｄｕｃｅｓ  ｅｍｂｏｌｉｃ  ｐｈｅｎｏｍｅｎａ  ａｎｄ  ｃａｒｄｉｏｐｕｌｍｏｎａｒｙ  ｃｈａｎｇｅｓ  ｄｕｒｉｎｇ  ｃｅｍｅｎｔｅｄ  ｈｅｍｉａｒｔｈｒｏｐｌａｓｔｙ．Ｊ．Ｂｏｎｅ  Ｊｏｉｎｔ  Ｓｕｒｇ．１９９５、７７−Ｂ：４５６−４５９
【発明の概要】
【発明が解決しようとする課題】
【００１１】
本発明は、従来技術の不都合な点を克服するため、特に、最小の数の可能な部品からなり、圧縮ガスにより駆動され得る洗浄システムのための簡単な圧縮ガスモータを提供するための目的に基づく。前記駆動装置は、ほとんどが安価なコンポーネントからなる。これは、低い製造および組み立てコストで単一の使用のための駆動装置の提供を確実にする。正確な安定した保存を必要とする高価な部品は可能な限り避けるべきである。
【課題を解決するための手段】
【００１２】
本発明の目的は、開口部が円筒形内部空間の円筒形ジャケットに配置されることで満たされ、第１の開口部は第２の開口部と閉鎖された第１のベース面との間に配置され、プランジャは、互いに接続される第１のプランジャ部および第２のプランジャ部を備え、第１のプランジャ部は、第１のプランジャ部と、内部空間の円筒形壁との間の少なくとも１つの通路を備え、および／または少なくとも１つの通路を形成し、第２のプランジャ部は、気密であるように内部空間の内側を封鎖し、第１のプランジャ部の少なくとも１つの通路は、第１のプランジャ部と第２のプランジャ部との間の中間空間を、閉鎖された第１のベース面と第１のプランジャ部との間の内部空間領域に接続し、第１の開口部は第１のプランジャ部により閉鎖されることができ、第２の開口部は第２のプランジャ部により閉鎖されることができ、第２のプランジャ部が第２の開口部を完全に閉鎖しない場合、圧縮ガスモータは、少なくとも一部の時間、円筒形内部空間の第１のベース面の方向においてプランジャに力を与える復元具を備える。
【００１３】
本発明の範囲の中空円筒形は内部中空円筒形と称する。一般的ないずれかのモータに見られるような、円筒形、例えばモータブロックが提供され、それは円筒対称性でなくてもよい。さらに、本発明の範囲の中空円筒形は、簡単な円筒形状を有する本体のみでなく、その用語は、円形でない、例えば矩形またはさらに不規則な形状のベース面である中空円筒形も含むと理解されるべきである。中空円筒形は、プランジャが動く領域における円筒形軸に対して垂直である一定の断面形状、すなわちほぼ円筒形の全体の形状を有することを必要とする。
【００１４】
本発明によれば、中間空間は一定の容積を有するのに対して、内部空間領域の容積は、内部空間に対するプランジャ部の位置に依存する。
【００１５】
本発明は、内部空間の第１のベース面の端部の領域から第２の開口部の高さまで延び、第１のプランジャ部と内部空間の円筒形壁との間に少なくとも１つの通路を形成する溝を含むように内部空間の壁を提供するのに好都合であり得、その溝は開口部に接続されない。
【００１６】
次いで本発明はこれに関して、円筒形内部空間の第１ベース面の端部まで延びる溝を提供でき、第１のプランジャ部は好ましくは円筒体であり、特に好ましくはさらなる通路を備えない。
【００１７】
本発明に係る圧縮ガスモータはまた、第１のプランジャ部および第２のプランジャ部が、剛性連結部により、好ましくはロッドにより、特に好ましくはプランジャロッドの延長部により、特に円筒形軸に沿って互いに接続されるという点で特徴付けられ得る。
【００１８】
本発明は、開口される円筒形内部空間の第２のベース面を提供することが好都合であり得る。
【００１９】
さらに、本発明は、円筒形内部空間の第２のベース面に配置され、内部空間の円筒形軸の領域において好ましくはベアリングの中心におけるようにプランジャロッドを支持する、プランジャロッドのためのブラケットを提供できる。
【００２０】
本発明は、第１のプランジャ部分において特定のガス透過可能な孔を含む、少なくとも１つの通路を提供することが好都合であり得、特にこの種の孔である通路を提供する。
【００２１】
本発明の別の改良は、１ｍｍより長い、好ましくは１ｍｍから１００ｍｍの間、特に好ましくは５ｍｍから１０ｍｍの間である、第１のプランジャ部と第２のプランジャ部との間の距離を提供する。
【００２２】
本発明は、内部空間の円筒形軸の方向において少なくとも第１のプランジャ部の高さと等しい閉鎖された第１のベース面からの第１の開口部の距離を提供することが好都合であり得る。
【００２３】
本発明に係る圧縮ガスモータはまた、第１のプランジャ部および／または第２のプランジャ部が円筒形であり、少なくともその領域において、円筒形内部空間の内壁に密接することが特徴付けられ得る。
【００２４】
本発明は、第１の開口部に接続され、圧縮ガスを含むリザーバおよび／または好ましくはガスの流れを妨げる管を有さずにガス透過可能な形式で圧縮ガスモータの周囲に接続される第２の開口部を提供できる。
【００２５】
さらに、本発明は、連結手段、特に第２のベース面の領域の外側に配置される洗浄連結具を連結するためのバヨネットキャッチを提供できる。
【００２６】
乳棒、特にマッシュルーム形状の乳棒を含む、プランジャロッドの端部が第２のベース面から突出することは有益であり得る。
【００２７】
本発明に係る圧縮ガスモータは特に、プランジャ部、プランジャ部の連結部、プランジャロッド、円筒形内部空間の壁、ベース面の端部、ブラケット、復元具、連結手段および／または乳棒が、プラスチック材料から作製される場合、特にそれらが射出成形コンポーネントである場合、コスト効率が高い。
【００２８】
本発明は、円筒管の内側である内部空間および少なくともその領域において、好ましくは本質的に円筒形外面を含む圧縮ガスモータを提供することが好都合であり得る。
【００２９】
特に有益には、本発明は内部空間においてプランジャの振動運動を提供し、第１の開口部および第２の開口部はそれぞれ、第１のプランジャ部および第２のプランジャ部により交互に完全に閉鎖されることができる。
【００３０】
本発明は、バネ、特に第２のプランジャ部と円筒形内部空間の第２のベース面との間に配置されるプラスチックバネ、鋼バネおよび／またはガススプリングを含む復元具を提供できる。
【００３１】
あるいは、本発明は、第３のプランジャ部、内部空間の内側からガスを放出するための第３の開口部、および内部空間に圧縮ガスを供給するための第４の開口部を含む復元具を提供でき、第３および第４の開口部は、円筒形内部空間の円筒形ジャケットに配置され、第４の開口部は、第２の開口部と円筒形内部空間の第２のベース面との間に配置され、第３の開口部は第２の開口部と第４の開口部との間に配置され、第３の開口部および第４の開口部はそれぞれ、第２のプランジャ部および第３のプランジャ部により閉鎖されることができ、第３のプランジャ部は、第２のプランジャ部と円筒形内部空間の第２のベース面との間のプランジャロッドに配置され、第２のプランジャ部に接続されるプランジャの一部であり、第３のプランジャ部は、第３のプランジャ部と内部空間の円筒壁との間の少なくとも１つの通路を備え、および／または少なくとも１つの通路を形成する。
【００３２】
これに関して、本発明は、この種の第１のプランジャ部のように構造化される第３のプランジャ部および／または第１のプランジャ部に対して構造化されるように第３のプランジャ部に対して構造化される中間空間の内壁を提供できる。
【００３３】
本発明に係る圧縮ガスモータはまた、剛性および動かないようにプランジャに接続される、特に円筒形軸の領域において好ましくは第２のプランジャまたは第３のプランジャ部に接続されるプランジャロッドを有するように提供され得る。
【００３４】
本発明の目的はまた、前記圧縮ガスモータを備え、バルブおよびそのバルブを制御するためのハンドルに配置される作動具を備える、洗浄システムのためのハンドルにより満たされ、バルブは管、特に第１の開口部および／または第２の開口部、好ましくは第１、特に好ましくは第１と第４の開口部に接続される圧縮ガス管に配置される。
【００３５】
本発明の目的はまた、前記圧縮ガスモータを備え、好ましくは前記ハンドルを備え、さらに、リンス液リザーバおよび／またはリンス液リザーバのためのコネクタを備える、洗浄システムにより満たされ、リンス液を含有する噴霧パフを生成するために、特に乳棒により第２のベース面を超えて突出するプランジャロッドの端部により、力の衝撃は、力伝達具、好ましくは膜に移されることができる。
【００３６】
最後に、この目的は、以下の工程：
第１のプランジャ部と第２のプランジャ部との間の中間空間に第１の開口部を通して圧縮ガスを供給する工程と、
中間空間内において正圧を増加させる工程と、
正圧に起因して圧縮ガスモータの内部空間においてプランジャ部を移動させる工程と、
プランジャ部の移動により、第１の開口部を閉鎖して、第２の開口部を開口する工程と、
中間空間から第２の開口部を通して膨張したガスを放出する工程と、
復元具により内部空間においてプランジャ部を復元する工程と、
を含む、前記圧縮ガスモータを作動する方法により満たされる。
【００３７】
Ｏリングなどの封止手段もまた、本発明に係る構造であるが、必ずしも不可欠ではない。
【００３８】
したがって、本発明は、簡単な手段により、圧縮空気プランジャモータを直線振動できる、および／またはプランジャが少なくとも２つのプランジャ部および可能な限り剛性である連結部から作製される、直線圧縮ガスプランジャモータを構築できるという驚くべき発見に基づく。非剛性の連結部はモータの性能を悪化させるが、機能的原理に完全に排除されなくてもよく、圧縮ガスモータの安定な作動についての一部のプラスの特性を生じる場合もある。モータが長時間、耐久性があることを望まない場合、この種の圧縮ガスモータは安価なコンポーネントから容易に製造され得るので、この種の圧縮ガスモータを有する洗浄システムは使い捨て製品として設計され得る。
【００３９】
したがって、洗浄システムのための本発明に係る駆動装置は、以下により特徴付けられ得る：
ａ）中空円筒形が配置され、
ｂ）中空円筒形が気密形式で一端で閉鎖され、
ｃ）中空円筒形が開口円筒形端部を有し、
ｄ）ロッドが円筒形に存在し、
ｅ）ロッドの一端が、軸方向において少なくとも１つの特定のガス透過可能な孔を有するロッドに配置され、ロッドに固定して接続される、第１のプランジャ部を有し、
ｆ）第２のプランジャ部が第１のプランジャ部に隣接するロッドに配置され、第２のプランジャ部が、ガス通路を含まず、ロッドに固定して接続され、
ｇ）少なくとも１．０ｍｍの距離が、第１のプランジャ部と第２のプランジャ部との間に存在し、
ｈ）第２のプランジャ部が第１のプランジャ部から離れた側でバネと接触し、そのバネは、ロッドを透過可能なプレートまたはフィンにより支持され、
ｉ）第１の開口部は、少なくとも第１のプランジャ部の長さと等しい中空円筒形の閉鎖された端部からの距離を有し、
ｊ）第１のプランジャ部が中空円筒形の閉鎖された端部を押し、それにより、第１の開口部は第１のプランジャ部に覆われず、第２のプランジャ部は第２の開口部を覆うようなバネの長さであり、
ｋ）第１のプランジャ部および第２のプランジャ部は中空円筒形の内壁に密接し、
ｌ）第１の開口部は圧縮ガスを含むリザーバに接続され、
ｍ）第２の開口部は、ガスが透過可能な形式で周囲に接続され、周囲における圧力は、リザーバ内の圧縮ガスの圧力より低い。
【００４０】
本発明の機能による装置は、例えば、バネなどの復元具が、中空円筒形の閉鎖された端部に対してプランジャロッドの第１および第２のプランジャ部を押す。これに関して、第１の開口部が開口し、第２の開口部が覆われ、それにより、第２のプランジャ部により閉鎖される。圧縮ガスが円筒形内部空間に第１の開口部により誘導される場合、圧縮ガスは、第１のプランジャ部と第２のプランジャ部との間の中間空間内に進入する。次いで、ガスは内部空間の閉鎖された気密端部に到達するまで、第１のプランジャ部において少なくとも１つのガス透過可能な通路を通して移動する。ガスは膨張し、プランジャロッドが延びる内部空間の端部の方向において２つのプランジャ部を押す。これに関して、第１の開口部が第１のプランジャ部により覆われるまで、第１のプランジャ部は動く。第２のプランジャ部は同期して動き、第２の開口部を開口する。低い周囲圧力が第２の開口部に付与される場合、圧縮ガスは、２つのプランジャの間の領域および第１のプランジャ部と閉鎖された内部空間の端部との間の領域から、第１のプランジャ部における少なくとも１つのガス透過可能な通路を通して放出する。次いで内部空間における内圧が外圧と等しくなる。次いで復元要素が第２のプランジャ部を押し、それを、プランジャロッドならびに第１および第２のプランジャ部と一緒に開始位置まで移動させる。次いで新たなサイクルが開始する。
【００４１】
２つのプランジャ部およびプランジャロッド、適切な場合、連結部が、小さな質量、およびそれにより低い慣性を有する場合、すなわち、バネが適切に寸法決めされ、ガス圧が十分である場合、速いパルス速度および高い頻度がこの装置により達成され得る。次いでプランジャロッドは、パルスおよびそれによりリンス液を含む噴霧パフを生成するように、乳棒を介して適切な膜または他の伝達具にパルスを伝え得る。
【００４２】
第３のプランジャ部がプランジャロッドに固定して接続され、また第２のプランジャ部にも固定して接続される復元具のように、バネの代わりに、プランジャロッドに第３のプランジャ部を配置することも有益である。第３のプランジャ部は少なくとも１つの軸にガス透過可能な孔を含んでもよい。さらに、第３の開口部が、中空円筒形に配置され、また、圧縮ガスを含むリザーバに接続され、周囲に接続される第４の開口部は中空シリンダに配置される。この変形例において、駆動プロセスは乳棒の方向において交互に連続して進行し、次いで反対方向において第３のプランジャならびに第３および第４の開口部により復元運動が進行する。
【００４３】
本発明の範囲はまた、中空シリンダに配置される洗浄連結具のための連結手段を含む。具体的には、バヨネットキャッチが特に連結手段として十分に適している。
【００４４】
ハンドルも有益であり、そのハンドルに、圧縮ガスリザーバおよび第１の開口部、適切な場合、ガス透過形式で第３の開口部に接続されるバルブを制御する作動レバーが配置される。さらに、ハンドルはそれに設けられる放出されるガスのための放出開口部を有する。
【００４５】
圧縮ガスモータは、固定圧縮ガス具、好適にはガスカートリッジにより作動され得る。これに関して、二酸化炭素が有用である二酸化炭素カートリッジによる駆動は、生成するのに安価であり、非毒性であるので好ましい。
【００４６】
本発明の例示的な実施形態は７つの概略的な図面に基づいて以下に例示するが、本発明の範囲はそれらに限定されない。
【図面の簡単な説明】
【００４７】
【図１】乳棒（ｐｅｓｔｌｅ）が格納されている本発明に係る圧縮ガスモータの概略的な断面図を示す。
【図２】乳棒が送り出されている図１による本発明に係る圧縮ガスモータの概略的な断面図を示す。
【図３】乳棒が格納されている本発明に係る第２の圧縮ガスモータの概略的な断面図を示す。
【図４】乳棒が中間位置にある図３による本発明に係る圧縮ガスモータの概略的な断面図を示す。
【図５】乳棒が送り出されている図３による本発明に係る圧縮ガスモータの概略的な断面図を示す。
【図６】本発明に係る洗浄システムの概略的な断面図を示す。
【図７】本発明に係る第３の圧縮ガスモータの断面図を示す。
【発明を実施するための形態】
【００４８】
図１は、内壁により円筒形内部空間２を収容する円筒形ハウジングを有する直線圧縮ガスモータ１を示す。（図１の左側における）円筒形内部空間２の第１のベース面３は、気密および圧密形式で閉鎖される。円筒形内部空間の第２のベース面４もまた閉鎖されるが、内部空間２の内側に延びるプランジャロッド５の通路を備える。プランジャロッド５は、移動できるように、すなわち、円筒形内部空間２の長手方向に可動できるように、内部空間２の内側に配置されるプランジャロッド５に接続される２つの円筒形プランジャ部６、７を有する。２つのプランジャ部６、７は接続ロッド８を通して互いに接続される。第１のプランジャ部６は孔（ボアホール）の形態の通路９を備えるのに対して、第２のプランジャ部７は通路を有さない。２つのプランジャ部６、７は、内部空間２の内壁を封止する。内部空間２の第２のベース面４と第２のプランジャ部７との間にバネ１０が配置され、第１のベース面３の方向においてプランジャロッド５および接続ロッド８と共にプランジャ６、７を押す。
【００４９】
第１のプランジャ部６は第１のベース面３に密接して配置される。プランジャ６、７、接続ロッド８、およびプランジャロッド５からなるシステムのその位置は、圧力を付与していない状態でバネ１０の圧力により位置が確立されるので、開始位置として規定される。２つの開口部１１、１２が内部空間２の円筒形ジャケット壁に配置され、それらに配置される管またはホース（図示せず）を取り付けるためのコネクタ１３を有する。本発明によれば、圧縮ガス源は第１の開口部１１において接続されるのに対して、第２の開口部１２は、最も簡単な場合、周囲に対して単に開口しているだけであるが、放出管に接続するのに好都合であり得る。
【００５０】
衝撃を伝えるために、乳棒１４が、圧縮ガスモータ１から突出しているプランジャロッド５の端部に配置される。２つのプランジャ部６、７は、接続ロッド８により互いから一定の距離で配置される。したがって、中間空間１５がプランジャ部６、７の間に形成され、圧縮ガスモータの内部空間２においてプランジャ部６、７の動きと共に動く。第１のプランジャ部６が、図に示している開始位置においてベース面３に対して接触しているので、図１においては容積がない内部空間領域１６が、第１のプランジャ部６と第１のベース面３との間に囲まれる。
【００５１】
圧縮ガスモータ１が図１に示した開始位置にある間に正圧が第１の開口部１１に付与される場合、第１のプランジャ部６の方向を向いている第２のプランジャ部７の第１の側に作用する圧力が増大する。これにより、前記第２のプランジャ部７の第１の側に付与される力が増大する。乳棒１４およびバネ１０の方向を向いているプランジャ部７の第２の側に作用する大気圧は対抗力として作用する。さらに、バネ１０は前記第２の側に力を与える。プランジャ部７の第１の側に圧縮空気または別の圧縮ガスにより付与される力は、プランジャ部の第２の側に作用する力および摩擦力に打ち勝ち、これにより、プランジャ部６、７、接続ロッド８、プランジャロッド５（図１においてハッチングをかけて示した領域）を含むプランジャシステムの運動が生じ、乳棒１４は内部空間２の第１のベース面３から離れる。このプロセスにおいて、バネ１０が圧縮され、次いで、運動の間、その運動に対して作用する力が増加する。内部空間２の第２のベース面４がまた、プランジャロッド５の気密通路を与える気密形式で閉鎖される場合、第２のプランジャ部７の第２の側により、および第２のベース面４により囲まれる内部空間２の前記部分に囲まれる空気、ならびに／または囲まれるガスは、内部空間２の前記部分の容積に反比例し、プランジャの動きに対して力を及ぼす。
【００５２】
圧縮空気または圧縮ガスは、第１のプランジャ部６の第１の側（図１の左側）と第１のベース面３の端部との間の通路９［空間内］を通る。これにより、第１の開口部１１を通して供給される圧縮ガスのための内部空間２の容積が増加する。運動は出口に対する第２の開口部１２まで進む。その出口は、開始位置において第２のプランジャ部７により覆われ、開口されると、圧縮ガスは、中間空間１５および第１のプランジャ部６と第１のベース面３との間の空間から開口部１２を通して放出する。プランジャシステムの運動の惰性および出て行く圧縮ガスに作用する流れ抵抗に起因して、運動は即座に停止せず、運動が反転する第２の位置まで継続する。正確に第２の位置の状態になるのは、構造の正確な形状、内部空間２の内壁におけるプランジャ部６、７の摩擦、バネ１０のバネ定数、第１の開口部１１におけるガス圧力、第２の開口部１２の下流の流れ抵抗、および環境大気圧などの種々のパラメータに依存する。プランジャシステム５、６、７、８の運動は、遅くとも第２のベース面４で停止する。
【００５３】
図２は、プランジャシステム５、６、７、８の運動が反転する第２の位置を示す。第１のプランジャ部６は第１の開口部１１を閉鎖する。圧縮ガスはまた、（図２の水平の矢印により示されるように）通路９を通して第１のプランジャ部６と第１のベース面３との間の内部空間領域１６から最終的に第２の開口部１２（その第２の開口部１２はこの位置において第２のプランジャ部７により閉鎖されていない）まで出ていく。したがって、第２のプランジャ部７の第１の左側に作用する圧力は減少する。最終的に、バネ１０に起因する対抗力により、反転する運動が生じ、プランジャシステム５、６、７、８は第１のベース面３の方向に促される。バネの力は第１のベース面３の方向における運動に起因して減少する。同時に、第２の開口部１２は第２のプランジャ部７により閉鎖され、第１の開口部１１は再び開き、それにより、圧力が、中間空間１５および内部空間の第１のプランジャ部６と第１のベース面３との間の内部空間領域１６において再び増加し得る。プランジャシステム５、６、７、８は図１による開始位置に戻り、運動が再び開始する。
【００５４】
圧縮ガスが第１の開口部１１に付与され、このように循環的に供給される限り、第２の開口部１２は正常圧領域または負圧領域に対して開口した状態になり、運動が循環的に継続する。乳棒１４の生じる動きは、例えば、乳棒１４が、後で１つまたは複数のノズルを通して出て行くことができる、膜の後ろに位置するリンス液に圧力衝撃を与える膜に対して衝突することで、リンス液の噴霧パフ（噴霧気体の吹きかけ（ｓｐｒａｙ  ｐｕｆｆ））を生じるのに利用される。
【００５５】
図３、４、および５は代替の圧縮ガスモータ２１の概略的な断面図を示し、ここで、追加のプランジャドライブが、以前の例示的な実施形態のようなバネではない復元具として使用される。
【００５６】
圧縮ガスモータ２１の円筒形の内部空間２２は、気密形式で第１のベース面２３および第２のベース面２４において閉鎖される。プランジャロッド２５は、第２のベース面２４における気密開口部を通して内部空間２２から突出する。プランジャロッド２５は第２のベース面２４を通して移動するように内部空間２２の円筒形軸の方向に配置される。
【００５７】
３つのプランジャ部２６、２７、３８がプランジャロッド２５において配置される。第１のプランジャ部２６は、第２のベース面２４から対向しているプランジャシステム２５、２６、２７、２８、２８’、３８の端部に配置される。第２のプランジャ部２７は接続ロッド２８により第１のプランジャ部２６に接続されるので、第２のプランジャ部２７は第１のプランジャ部２６から一定の距離で配置される。孔（ボアホール）の形態の通路２９が第１のプランジャ部２６に配置される。
【００５８】
圧縮ガスを供給するための第１の開口部３１および第４の開口部３１’ならびにガスを放出するための第２の開口部３２および第３の開口部３２’が、内部空間２２の円筒形ジャケット壁に配置される。管またはホースを接続するためのコネクタ３３が開口部３１、３１’、３２、３２’に配置される。
【００５９】
マッシュルーム形状の乳棒３４が、圧縮ガスモータ２１から第２のベース面２４を通して突出するプランジャロッド２５の端部に固定される。内部空間２２におけるプランジャシステム２５、２６、２７、２８、２８’、３８が振動運動すると、図５に示した完全に送り出された位置における乳棒３４は、洗浄システムのための噴霧パフを生成するために液体リザーバに衝撃を与える機能をする。
【００６０】
第１のプランジャ部２６と第２のプランジャ部２７との間の距離により、内部空間２２に形成される第１の中間空間３５が生じる。図３には容積がない第１の内部空間領域３６は、第１のプランジャ部２６と第１のベース面２３との間に形成され、図４および５に係るプランジャシステム２５、２６、２７、２８、２８’、３８の他の位置において開口する。別の中間空間３７は第２のプランジャ部２７と第３のプランジャ部３８との間に配置される。第３のプランジャ部３８は通路３９を備え、基本的に第１のプランジャ部２６と同様に構造化される。第３のプランジャ部３８は接続ロッド２８’により第２のプランジャ部２７に接続される。第２の内部空間領域４０は、第３のプランジャ部３８と閉鎖された第２のベース面２４との間に形成され、プランジャシステム２５、２６、２７、２８、２８’、３８の開始位置（図３）において最大容積を有するのに対して、最終位置（図５）においては容積を有さない。２つの内部空間領域３６、４０の可変の容積と異なり、中間空間３５、３７は内部空間２２内に一定の規定の容積を有する。
【００６１】
第１のプランジャ部２６、第２のプランジャ部２７、第３のプランジャ部３８、および接続ロッド２８、２８’は、円筒形内部空間２２の内側で円筒形軸の方向に移動できるプランジャ２６、２７、２８、２８’、３８を形成する。第２の中間空間３７、通路３９を有する第３のプランジャ部３８、第２の内部空間領域４０、および気密であるように閉鎖される第２のベース面２４は、この実施形態において、プランジャシステム２５、２６、２７、２８、２８’、３８のための復元具を形成するために、第３の開口部３２’および第４の開口部３１’と接続する。
【００６２】
プランジャ部２６、２７、３８は、内部空間２２の円筒形ジャケット壁に対して密接し、内部空間２２内で誘導される。プランジャ２６、２７、２８、２８’、３８の位置に応じて、第１のプランジャ部２６は、第１の開口部３１を覆うか、または圧縮ガスを供給するために開口したままにでき、第３のプランジャ部３８は、第４の開口部３１’を覆うか、または圧縮ガスを供給するために第４の開口部３１’を開口したままにでき、第２のプランジャ部２７は、第２の開口部３２および第３の開口部３２’を覆うか、またはガスを放出するためにそれらの１つを開口したままにできる。２つの流入開口部３１、３１’の１つおよび２つの流出開口部３２、３２’の１つのみが、いつでも開口できる。圧縮ガスを供給するための第１の開口部３１が開口される場合、後で説明するように、ガスを放出するための第２の開口部３２は閉鎖される。同じことが２つの他の開口部３１’および３２’に当てはまる。プランジャ部２７は、第１のガスプランジャチャンバ２９、３５、３６および第２のガスプランジャチャンバ３７、３９、４０を互いに分離するので、それらは、通路２９および３９により、存在し得る別個のガスプランジャチャンバ、またはモータ部を形成する。
【００６３】
図３に示した開始位置において、圧縮ガスは、第１の中間空間３５内および第１のプランジャ部２６の第１の通路２９内に開口部３１を通して流れる。そこで、ガスは第１のベース面２３を押す。同時に、ガスは、第３のプランジャ部３８の通路３９を通して第２の中間空間３７から、また、第３の開口部３２’を通して第２の内部空間領域４０から放出する。第１のガスプランジャチャンバ２９、３５、３６における圧力は、第２のガスプランジャチャンバ３７、３９、４０における圧力より大きくなるので、プランジャ２６、２７、２８、２８’、３８は、第２のベース面２４の方向に動き、それにより、プランジャロッド２５は、圧縮ガスモータ２１の内部空間２２から外部へ送り出される。
【００６４】
第１のプランジャ部２６の動きにより、第１の開口部３１が閉鎖され、次いで、プランジャ２６、２７、２８、２８’、３８がさらに動くと、第２の開口部３２が開口する。これにより、第１のガスプランジャチャンバ２９、３５、３６における圧力が減少する。同時に、第３の開口部３２’は、第２のプランジャ部２７により閉鎖され、そのときに、第２の内部空間領域４０の容積の減少により、第２のガスプランジャチャンバ３７、３９、４０における圧力が増加する。この状況は図４に示す。しかしながら、第１のガスプランジャチャンバ２９、３５、３６における圧力が放出するのにいくらか時間がかかり、乳棒３４を含むプランジャシステム２５、２６、２７、２８、２８’、３８の惰性に起因するので、プランジャ２６、２７、２８、２８’、３８は、図５に示した位置までその動きを継続する。プランジャ２６、２７、２８、２８’、３８の動きは第２のベース面２４で終端し、第２の開口部３２がまだ広く開いている間、第４の開口部３１’が開口する。したがって、圧縮ガスは、圧力が増加する第２のガスプランジャチャンバ３７、３９、４０内に第４の開口部を通して流れ、一方、膨張したガスは、第２の開口部３２を通して第１のガスプランジャチャンバ２９、３５、３６から放出する。反転する兆候である圧力差が２つのガスプランジャチャンバ２９、３５、３６および３７、３９、４０で増加するので、プランジャ２６、２７、２８、２８’、３８はここで、第１のベース面２３の方向に促される。
【００６５】
プランジャは、図３に係る開始位置まで図４に示した位置を超えて戻る。反転する動きのプランジャ２６、２７、２８、２８’、３８の惰性および圧力差がゆっくりのみで減少することに起因して、プランジャ２６、２７、２８、２８’、３８は、開始位置まで戻る。次いでプランジャ２６、２７、２８、２８’、３８の動きは、新たなサイクルで継続する。
【００６６】
図６は、洗浄システムのための本発明に係るハンドル５０の概略的な構造の断面図を示す。本発明に係る圧縮ガスモータ５１は前記ハンドル５０に配置される。圧縮ガスモータは、圧縮空気を供給するための第１の開口部６１およびガス放出のための第２の開口部６２を備える。２つの開口部６１、６２は圧縮空気管６３および放出管６４に接続される。
【００６７】
バルブ６５が圧縮空気管６３に配置される。バルブ６５は、それが回転できるようにヒンジ６７によりハンドル５０に接続される作動レバー６６の形態の作動具により手動で作動され得る。圧縮空気管６３はコネクタ６８を備え、そのコネクタ６８により、圧縮空気源に接続され得る。放出管６４は周囲で終端するか、または第２のコネクタ６９を介して排気空気システムもしくはさらに負圧を生成するための真空ポンプに接続される。
【００６８】
洗浄システム（図示せず）のためのバヨネット（銃剣（ｂａｙｏｎｅｔ））キャッチ７２を有するブラケット７１が、圧縮ガスモータ５１に配置される乳棒７０の領域に配置される。洗浄システムは、ブラケット７１およびバヨネットキャッチ７２によりハンドル５０に接続され得る。作動レバー６６を駆動することにより、使用者はバルブ６５を作動でき、それにより、圧縮空気管６３を介して圧縮ガスモータ５１に圧縮空気を供給する。これにより、圧縮ガスモータ５１が、乳棒７０を高い頻度で洗浄システムの液体リザーバに衝突させるように動く。これにより、高い頻度で噴霧パフが生成され、患者の組織領域を洗浄するために使用され得る。
【００６９】
図７は、本発明に係る圧縮ガスモータ８１の第３の実施形態の概略的な断面図を示す。円筒形内部空間８２は両方のベース面８３、８４において気密形式で閉鎖される。第２のベース面８４はプランジャロッド８５のための開口部を備える。プランジャロッド８５は、第１のプランジャ部８６、第２のプランジャ部８７、および連結部８８により形成されるプランジャ８６、８７、８８に固定して動かないように取り付けられる。プランジャ８６、８７、８８およびプランジャロッド８５は内部空間８２の長手方向において移動する。
【００７０】
通路８９が第１のプランジャ部８６に配置される。プランジャ８６、８７、８８が内部空間８２の内壁に対して密接するので、第２のプランジャ部８７および第２のベース面により気密形式で閉鎖される内部空間２２の領域はガススプリング９０になる。ガススプリング９０は圧縮ガスモータ８１の復元具として作用する。
【００７１】
内部空間８２の円筒形ジャケットは、圧縮ガスを供給するための第１の開口部９１およびそこに提供されるガスを放出するための第２の開口部９２を有する。管を接続するためのコネクタ９３が開口部に配置される。連結部８８の領域において、プランジャ８６、８７、８８は、第１のプランジャ部８６と第２のプランジャ部８７との間に中間空間９５を形成する。中間空間領域９６（その容積は、圧縮ガスモータ８１の内部空間８２におけるプランジャ８６、８７、８８の位置に応じる）は、第１のプランジャ部８６と第１のベース面８３との間に形成される。
【００７２】
ガススプリング９０における圧力は、第１の開口部９１を通して供給される圧縮ガスの圧力より小さくなるように適切に選択されなければならない。好ましくは、ガススプリング９０における圧力は周囲圧力より高くなるように選択される。圧縮ガスモータ８１の周期的運動は、図１および２に係る第１の例示的な実施形態に示したパターンに従って進行する。
【００７３】
上述の詳細な説明および特許請求の範囲、図面および例示的な実施形態に開示した本発明の特徴は、単独および任意の組み合わせの両方で本発明の種々の実施形態を実施するのに本質的であり得る。
【符号の説明】
【００７４】
１、２１、５１、８１  圧縮ガスモータ
２、２２、８２  内部空間
３、２３、８３  第１のベース面
４、２４、８４  第２のベース面
５、２５、８５  プランジャロッド
６、２６、８６  第１のプランジャ部
７、２７、８７  第２のプランジャ部
８、２８、２８’  接続ロッド
９、２９、３９、８９  通路／孔
１０、９０  バネ
１１、３１、６１、９１  第１の開口部
１２、３２、６２、９２  第２の開口部
１３、３３、９３  接続部／スリーブ
１４、３４、７０  乳棒
１５、３５、３７、９５  中間空間
１６、３６、４０、９６  内部空間領域
３１’  第４の開口部
３２’  第３の開口部
３８  第３のプランジャ部
５０  ハンドル
６３  圧縮空気管
６４  排気空気管
６５  バルブ
６６  作動レバー
６７  ヒンジ
６８、６９  コネクタ
７１  ブラケット
７２  バヨネットキャッチ
８８  連結部
【図１】
0005547852.tif 000002
【図２】
0005547852.tif 000003
【図３】
0005547852.tif 000004
【図４】
0005547852.tif 000005
【図５】
0005547852.tif 000006
【図６】
0005547852.tif 000007
【図７】
0005547852.tif 000008